(57)【要約】【課題】入力画像を拡大して投射対象に投射する投光型表示装置において、セットアップのための各調整項目を簡便に選択可能とし、ユーザの利便性を向上させる。【解決手段】複数の調整項目を自動調整可能な投光型表示装置において、複数の調整項目のうちから、所望の数の調整項目を選択するための選択用押しボタン２０２ｃと、選択用押しボタンの操作時間を計測する計測部２０９と、計測部２０９により計測された選択用押しボタンの押し時間に応じて、複数の調整項目のうちの、実際に自動調整を行なう調整項目の数を設定する制御部２０６と、を具備する。【選択図】      図１
2006293034.tif 000002
【特許請求の範囲】
【請求項１】
複数の調整項目を自動調整可能な投光型表示装置において、
前記複数の調整項目のうちから、所望の数の調整項目を選択するための操作手段と、
前記操作手段の操作時間を計測する計測手段と、
前記計測手段により計測された前記操作手段の操作時間に応じて、前記複数の調整項目のうちの、実際に自動調整を行なう調整項目の数を設定する制御手段と、
を具備することを特徴とする投光型表示装置。
【請求項２】
前記制御手段は、前記操作手段の操作時間が長くなるほど、実際に自動調整を行なう調整項目の数を増加させることを特徴とする請求項１に記載の投光型表示装置。
【請求項３】
前記複数の調整項目の優先順位を設定する設定手段をさらに具備することを特徴とする請求項１に記載の投光型表示装置。
【請求項４】
実際に自動調整を行なう前に、どの調整項目の調整を行なうかを投射画像によりユーザに報知することを特徴とする請求項１に記載の投光型表示装置。
【請求項５】
複数の調整項目を自動調整可能で、前記複数の調整項目のうちから、所望の数の調整項目を選択するための操作手段と、該操作手段の操作時間を計測する計測手段とを有する投光型表示装置を制御する方法であって、
前記計測手段により計測された前記操作手段の操作時間に応じて、前記複数の調整項目のうちの、実際に自動調整を行なう調整項目の数を設定する制御工程を備えることを特徴とする投光型表示装置の制御方法。
【請求項６】
前記制御工程では、前記操作手段の操作時間が長くなるほど、実際に自動調整を行なう調整項目の数を増加させることを特徴とする請求項５に記載の投光型表示装置の制御方法。
【請求項７】
前記複数の調整項目の優先順位を設定する設定工程をさらに具備することを特徴とする請求項５に記載の投光型表示装置の制御方法。
【請求項８】
実際に自動調整を行なう前に、どの調整項目の調整を行なうかを投射画像によりユーザに報知する報知工程をさらに具備することを特徴とする請求項５に記載の投光型表示装置の制御方法。
【発明の詳細な説明】
【技術分野】
【０００１】
本発明は、投光型表示装置のセッティング調整を自動的に行なう技術に関するものである。
【背景技術】
【０００２】
近年、可搬型のプロジェクタ（投影機）が増加し、さまざまな設置環境で利用されるようになってきている。プロジェクタをそれぞれの環境に合わせて設置する場合には、プロジェクタのセッティングが必要になるが、そのセッティングの調整や補正は時間と熟練を必要とし、使用者の負担となっていた。
【０００３】
プロジェクタのセッティング項目には、概略的に、オートフォーカス調整、投射画像を投射対象の画面枠に合わせて拡大、縮小するズーム調整、投射光線が投射対象に対して上下、あるいは左右方向から投射されることに起因して生ずる台形歪の調整、投射対象に対して投射画像が標準に近い色調となるようにするための色彩調整等があるが、従来のプロジェクタに設けられている自動調整機能は、プロジェクタが起動されたとき、もしくはオートセットアップスイッチが押下されたときに、それらの全ての項目の調整を行うように構成されていた。
【０００４】
例えば、特許文献１に開示されている技術では、プロジェクタから投射されてスクリーン上に投影されたテストパターンをモニタカメラにより撮像して、そのデータを解析し、解析結果に基づいて、プロジェクタのフォーカス調整、ズーム調整、台形歪調整を自動的に行なっている。
【特許文献１】特開２０００−２４１８７４号公報
【発明の開示】
【発明が解決しようとする課題】
【０００５】
しかしながら、プロジェクタのフォーカス調整、ズーム調整、台形歪調整の全ての項目の調整を行なうためには、かなりの時間がかかり、特許文献１に開示されている手法では、場合により全ての調整を行なう必要がない場合でも、上記３種類の調整項目の全ての調整を行なっており、セットアップに長時間を必要としてしまうという問題点があった。また、会議室の壁等に投影する場合には、投射対象に枠があるわけではないので、ズーム調整が不要であったり、また、プロジェクタの使用中では、既にズーム調整、台形歪調整等が行なわれていて、それらの調整は必要ないが、映像がぼけた場合のフォーカス調整のみが必要であったりするため、常に全ての調整項目を調整するのでは、使用者のニーズに対応できないという問題点があった。
【０００６】
また現存するプロジェクタには、調整項目をＯＳＤ（On Screen Display）で選択することにより、それぞれの調整項目を個別に調整できるものもあるが、全項目の一括セットアップに比較して、個別セットアップを行なう場合は操作がわずらわしいという問題点があった。
【０００７】
したがって、本発明は上述した課題に鑑みてなされたものであり、その目的は、入力画像を拡大して投射対象に投射する投光型表示装置において、セットアップのための各調整項目を簡便に選択可能とし、ユーザの利便性を向上させることである。
【課題を解決するための手段】
【０００８】
上述した課題を解決し、目的を達成するために、本発明に係わる投光型表示装置は、複数の調整項目を自動調整可能な投光型表示装置において、前記複数の調整項目のうちから、所望の数の調整項目を選択するための操作手段と、前記操作手段の操作時間を計測する計測手段と、前記計測手段により計測された前記操作手段の操作時間に応じて、前記複数の調整項目のうちの、実際に自動調整を行なう調整項目の数を設定する制御手段と、
を具備することを特徴とする。
【０００９】
また、本発明に係わる投光型表示装置の制御方法は、複数の調整項目を自動調整可能で、前記複数の調整項目のうちから、所望の数の調整項目を選択するための操作手段と、該操作手段の操作時間を計測する計測手段とを有する投光型表示装置を制御する方法であって、前記計測手段により計測された前記操作手段の操作時間に応じて、前記複数の調整項目のうちの、実際に自動調整を行なう調整項目の数を設定する制御工程を備えることを特徴とする。
【発明の効果】
【００１０】
本発明によれば、入力画像を拡大して投射対象に投射する投光型表示装置において、セットアップのための各調整項目を簡便に選択可能とし、ユーザの利便性を向上させることが可能となる。
【発明を実施するための最良の形態】
【００１１】
以下、本発明の好適な一実施形態について、添付図面を参照して詳細に説明する。
【００１２】
図１は、本発明の投光型表示装置（以降、プロジェクタと称する）の一実施形態の概略構成を示すブロック図である。
【００１３】
図１に示すプロジェクタ２００は、スクリーン３００に対して矩形に光を投射することにより矩形画像を形成する。
【００１４】
図１において、リモコン受信部２０１はユーザーが操作するリモートコントローラから発光された赤外線信号を受信するよう構成されている。
【００１５】
操作部２０２は、プロジェクタ２００のセットアップ調整、すなわちフォーカス調整、キーストーン（台形歪）調整、色彩調整、ズーム調整を自動的に行なわせるためのスタートボタン２０２ｂ、自動調整の調整項目を選択するための選択用押しボタン２０２ｃ等を備えており、ユーザーが操作することができるよう構成されている。なお、操作部２０２には、プロジェクタ２００のセットアップ状態等を表示するための液晶表示パネル等からなる表示部２０２ａも備えられている。
【００１６】
角度検出部２０３は加速度センサを用いて重力加速度を検出し、プロジェクタ２００の水平面に対する上下方向の傾き角度を検出するよう構成されている。検出した角度情報はＣＰＵ２０５に入力され、その角度情報に基づいてＣＰＵ２０５は台形歪を補正するための補正量を算出し、その補正量を画像処理部２１１に出力する。
【００１７】
測距部（ＡＦ／ＡＥセンサ）２０４は、ＣＣＤラインセンサを備えており、位相差検出方式によりプロジェクタ２００とスクリーン３００との距離計測を行なうとともに、スクリーン３００の明るさを検出するよう構成されている。また、ＣＣＤラインセンサによりスクリーンの枠のエッジを検出し、制御部２０６によるズーム調整のための枠寸法の情報を出力する。さらに、後述する投射光学系２１４からスクリーン３００に順番に投射されて反射されるＲ、Ｇ、Ｂの光をＣＣＤラインセンサで受光し、制御部２０６による色彩調整のためのＲ、Ｇ、Ｂの光量バランスを示す信号を出力する。
【００１８】
ＣＰＵ２０５はマイクロコンピュータから構成される制御回路で、制御部２０６と計測部２０９とを備えている。
【００１９】
制御部２０６は、リモコン受信部２０１からの入力信号と操作部２０２の各スイッチの操作に応じてフォーカス調整、ズーム調整、台形歪み調整、色彩調整等の調整動作、画像表示タイミングとＯＳＤ（On Screen Display）の制御等、プロジェクタ２００全体の各機能の動作を制御する。
【００２０】
位置検出部（エンコーダ）２０７は投射光学系２１４におけるフォーカスレンズ２１５の位置情報を読み取りＣＰＵ２０５に出力する。
【００２１】
レンズ駆動部２０８は測距部２０４から入力される距離情報に基づいて制御部２０６で算出されたピント位置に向けてフォーカスレンズを駆動する。また、測距部２０４から入力されるスクリーン３００の枠寸法の情報に基づいて制御部２０６で算出されたズーム位置に向けてズームレンズを駆動する。
【００２２】
計測部２０９はリモコン受信部２０１から信号が入力され続けている時間と、操作部２０２に配置された選択用押しボタン２０２ｃが押下され続けている時間を測定する。
【００２３】
映像信号入力部２１０は映像信号をプロジェクタに入力させる入力部である。
【００２４】
画像処理部２１１は映像信号入力部２１０から入力された映像信号を同期分離するデコーダと、フレームメモリと、スキャンコンバータと、画面上にキャラクタを表示させるＯＳＤ処理部とを備え、映像信号の色彩調整や歪補正等のデジタル処理を行うよう構成されている。
【００２５】
光源（照明ランプ）２１２は液晶パネル２１３を照明するもので、メタルハイドランプ等の高圧放電ランプが用いられる。
【００２６】
液晶パネル２１３は例えばＲ、Ｇ、Ｂの各色に対応して画像処理後の映像信号を表示するよう構成されている。
【００２７】
投射光学系２１４はズームレンズ２１５とフォーカスレンズ２１６とを備え、液晶パネル２１３に表示された画像を色合成系（図示省略）等を利用して合成し、スクリーン３００に向けて投射する。３板式のカラー液晶プロジェクタのときには、照明ランプ２１２を含む照明側の光学系には色分解系（図示省略）を配置し、各色光で液晶パネル２１３を照明する。
【００２８】
次に、図２は本実施形態のプロジェクタ２００の動作を示すフローチャートである。
【００２９】
本実施形態のプロジェクタ２００の動作について、図１及び図２を参照して説明する。図中、Ｓはフローチャートの各ステップを示す。
【００３０】
まずユーザーがプロジェクタ２００の本体をスクリーン１に正対させて固定した後、リモートコントローラもしくはプロジェクタ本体側にある操作部２０２に配置された自動調整のスタートボタン２０２ｂを押下することにより自動調整がスタートする。
【００３１】
まず、ステップＳ１０１で、優先順位が設定済みかどうかを判断する。優先順位が設定済みの場合は、ステップＳ１０３に進み、設定済みでない場合はステップＳ１０２に進む。
【００３２】
ステップＳ１０２においては、図３に示すようなセットアップ項目（調整項目）の優先順位を設定するＯＳＤが表示部２０２ａに表示される。ステップＳ１０２では、表示部２０２ａの画面の上段に現在の優先順位、下段に設定する順位を表示するようになっており、上段にスポットが当たっていて左右キーとＯＫキーで選択できる。例えば優先順位１位をフォーカスに設定したい場合には、リモートコントローラもしくは操作部２０２に備えられた左右キーでフォーカスの項目を選択しＯＫボタンを押すことにより、下段に選択した項目が表示される。これを繰り返すことによってセットアップ項目に優先順位をつけることができる。優先順位の設定が終了すると、優先順位を設定するためのＯＳＤを消去し、ステップＳ１０３へ進んで図４に示すような調整項目の選択のためのＯＳＤを表示部２０２ａに表示する。
【００３３】
次に、ステップＳ１０４でリモートコントローラもしくはプロジェクタ本体側にある操作部２０２に配置された調整項目の選択のための選択用押しボタン２０２ｃが押下されたかどうかを判断する。
【００３４】
ステップＳ１０４で、選択用押しボタン２０２ｃが押されない場合には、所定時間Ｔ３が経過するまで待ち、所定時間Ｔ３が経過した後に、自動調整動作を終了する。所定時間Ｔ３は、ユーザーにどの調整項目を選択するかを考える余裕を与えるための時間であり、例えば数秒〜数十秒に設定される。
【００３５】
ステップＳ１０４で、選択用押しボタン２０２ｃが押された場合には、ステップＳ１０５で選択用押しボタン２０２ｃの入力時間（ボタンが押下され続けている時間）の計測を開始する。
【００３６】
ステップＳ１０６では、選択用押しボタン２０２ｃが離されたかどうかを判断し、押下され続けている場合にはステップＳ１０７に進み所定時間Ｔ１が経過したかどうかを判断する。
【００３７】
ステップＳ１０７で、所定時間Ｔ１が経過していない場合にはステップＳ１０６に戻り、所定時間Ｔ１が経過している場合にはステップＳ１０８に進む。
【００３８】
所定時間Ｔ１は図４に示すＯＳＤに表示される調整項目を増やすかどうかの判断に使用する。例えば所定時間Ｔ１を０．５秒とするとスイッチが押下されてから０．５秒経過したかどうかを判断し、経過している場合にはステップＳ１０８で、ＯＳＤの表示を図４及び図５（ａ）に示す状態から図５(ｂ)に示す状態に更新し、ステップＳ１０９に進む。
【００３９】
ステップＳ１０９では所定時間Ｔ２だけ経過したかどうかを判断し、所定時間Ｔ２だけ経過していない場合にはステップＳ１０６に戻り、ステップＳ１０６〜ステップＳ１０８の動作が繰り返される。このようにしてステップＳ１０７で所定時間Ｔ１だけ経過するごとにステップＳ１０８で図５の（ａ）〜（ｄ）へとＯＳＤの表示を更新していく。図５の（ａ）〜（ｄ）の表示に対応して、プロジェクタ２００のどの調整項目の調整を行なうかが選択される。
【００４０】
なお、所定時間Ｔ２は図４に示すＯＳＤに表示される調整項目を全て行なうかどうか（全て選択するかどうか）の判断に使用される。例えば調整項目が４つある場合、所定時間Ｔ２を２秒とすると、所定時間Ｔ１すなわち０．５秒毎に調整項目が１つずつ増えていき、２秒経った時点で調整項目を全て行う（全て選択する）ことになる。
【００４１】
ステップＳ１０６で選択用押しボタン２０２ｃが離された場合、およびステップＳ１０９で所定時間Ｔ２だけ経過した場合にはステップＳ１１０へ進み、時間の計測を終了する。そしてステップＳ１１１で図４のＯＳＤ表示を消去し、ステップＳ１１２で調整を開始し、ステップＳ１０５〜ステップＳ１０９で選択用押しボタン２０２ｃが押し続けられていた時間（計測時間）に応じて選択された調整項目の調整を実行する。
【００４２】
例えばユーザーがフォーカス、およびキーストーンすなわち台形歪を調整したい場合には、ユーザーが選択用押しボタン２０２ｃを押下する。スイッチが押下された時点でフォーカスは調整することになるので図５（ａ）のＯＳＤが表示される。０．５秒経過した時点でフォーカスおよび台形歪が調整されることになるので図５（ｂ）のＯＳＤに更新され、ユーザーはフォーカスおよび台形歪の調整をすることを認識して、ここで選択用押しボタン２０２ｃを離す。そして選択用押しボタン２０２ｃが離されたところで、調整項目のＯＳＤ表示が消去され、プロジェクタはフォーカスおよび台形歪の調整を開始する。
【００４３】
なお、ステップＳ１１２で自動調整を開始する前に、どの調整項目を調整するかを報知する画像（文字情報など）をスクリーンに投射して、ユーザーにどの調整項目を調整するかを知らせるようにしても良い。
【００４４】
以上説明したように、上記の実施形態によれば、例えばリモコンや本体の選択用押しボタンを押下し続けた時間に応じてセットアップの調整項目数を変更することができるので、行いたい調整項目のみを短時間で容易に選択することができる。
【００４５】
また、調整項目の優先順位を設定することができるので、ユーザー毎に頻度が高い調整項目の順に設定することができ、使いやすい形態にすることができる。
【００４６】
また、例えばリモコンや本体の操作部において、オートフォーカスのような頻度が高いセットアップは選択用押しボタンの短い押し時間で選択することができ、また、プロジェクタを移動させたときなどの最初のセットアップで全調整を行う場合は、選択用押しボタンの長い押し時間で選択することができるので、ユーザーにとって分かりやすい使用形態にすることができる。
【００４７】
また、選択用押しボタンの押下時間に応じて調整項目をＯＳＤ等で表示することができるので、ユーザーにとって調整項目を選択しやすくすることができる。
【００４８】
以上、本発明の好ましい実施形態について説明したが、本発明は上記の実施形態に限定されるものではないことはいうまでもなく、その主旨の範囲内で種々の変形及び変更が可能である。
【００４９】
例えば、上記の説明では、調整項目を選択するために選択用押しボタンを用いる場合について説明したが、本発明は押しボタンに限定されるものではなく、スイッチ等を用いるようにしても良い。
【図面の簡単な説明】
【００５０】
【図１】本発明の投光型表示装置の一実施形態の概略構成を示すブロック図である。
【図２】一実施形態の投光型表示装置の動作を示すフローチャートである。
【図３】自動調整の優先順位を設定する画面の説明図である。
【図４】自動調整の調整項目を選択する画面の説明図である。
【図５】自動調整の調整項目を選択する画面の説明図である。
【符号の説明】
【００５１】
２００  プロジェクタ
２０１  リモコン受信部
２０２  操作部
２０３  角度検出部
２０４  測距部
２０５  ＣＰＵ
２０６  制御部
２０７  位置検出部
２０８  レンズ駆動部
２０９  計測部
２１０  映像信号入力部
２１１  画像処理部
２１２  照明ランプ
２１３  液晶パネル
２１４  投射光学系
２１５  ズームレンズ
２１６  フォーカスレンズ
３００  スクリーン
【図１】
2006293034.tif 000003
【図２】
2006293034.tif 000004
【図３】
2006293034.tif 000005
【図４】
2006293034.tif 000006
【図５】
2006293034.tif 000007